Podtech/llm-jp-corpus-v4-ja_patent huggingface dataset:
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
インクを被記録媒体に吐出して記録を行うインクジェット記録装置において、
インクタンクを収納するインクタンクホルダを有し、前記インクタンクの装着前の状態においては、染料インクあるいは顔料インクを収納した前記インクタンクのいずれも装着可能であるが、一度前記インクタンクを装着することにより、その装着した方のインクタンクしか入らないようにするため、前記インクタンクに識別部を設け、前記インクタンクホルダに前記インクタンクの識別部に対応した切り替え機構を設けたことを特徴とするインクジェット記録装置。
【請求項２】
前記インクタンクの識別部は、前記インクタンク内に収納されるインクの種類によって異なる位置に設けられた凹凸部によって行うことを特徴とする請求項１に記載のインクジェット記録装置。
【請求項３】
前記インクタンクの前記凹凸部は、インク色の識別と、染料インクあるいは顔料インクの識別と、の２種類の識別を独立して規定し、識別可能にする形状であることを特徴とする請求項２に記載のインクジェット記録装置。
【請求項４】
前記凹凸部におけるインク色の識別は複数の凹凸の組み合わせによって行い、同色の染料インクと顔料インクとでは同じ凹凸形状であり、染料インクと顔料インクとの識別はインク色によらないそれぞれ固有の凹部を持つことによって行うことを特徴とする請求項２または３に記載のインクジェット記録装置。
【請求項５】
前記インクタンクホルダは、前記インクタンクの前記凹凸部に対応した凹凸係合部を備えており、前記インクタンクホルダの前記対応した凹凸係合部が設けられた特定位置にのみ前記インクタンクが装着可能である請求項２から４のいずれか１項に記載のインクジェット記録装置。
【請求項６】
前記インクタンクホルダは、インクタンク装着前の初期状態においては、同色であれば、染料インクあるいは顔料インクのいずれの前記インクタンクであっても前記インクタンクホルダの同一個所に装着可能である請求項１から５のいずれか１項に記載のインクジェット記録装置。
【請求項７】
前記インクタンクホルダは、前記切り替え機構として、染料インクあるいは顔料インクを識別ための可動式の凸状のリブを有し、該リブは、染料インクあるいは顔料インクのいずれかを収納した前記インクタンクを装着することにより、その装着したインクタンク専用に切り替わり固定される請求項１から６のいずれか１項に記載のインクジェット記録装置。
【請求項８】
前記インクタンクホルダは、可動式の凸状の前記リブが固定された後でも、該固定を解除することにより再び染料インクあるいは顔料インクのいずれの前記インクタンクであっても装着可能となる請求項７に記載のインクジェット記録装置。
【請求項９】
前記インクタンクホルダは、インク色識別用の凸状のリブを有し、前記インク色識別用の凸状のリブは、固定式である請求項１から６のいずれか１項に記載のインクジェット記録装置。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明のインクジェット記録装置は、インクを被記録媒体に吐出して記録を行うインクジェット記録装置において、インクタンクを収納するインクタンクホルダを有し、インクタンクの装着前の状態においては、染料インクあるいは顔料インクを収納したインクタンクのいずれも装着可能であるが、一度インクタンクを装着することにより、その装着した方のインクタンクしか入らないようにするため、インクタンクに識別部を設け、インクタンクホルダにインクタンクの識別部に対応した切り替え機構を設けたことを特徴とする。
【手続補正１２】
【補正対象書類名】明細書
【補正対象項目名】００１５
【補正方法】変更
【補正の内容】
【００１５】
また、インクタンクの識別部は、前記インクタンク内に収納されるインクの種類によって異なる位置に設けられた凹凸部によって行うものであってもよい。
【手続補正１３】
【補正対象書類名】明細書
【補正対象項目名】００１６
【補正方法】変更
【補正の内容】
【００１６】
また、インクタンクの前記凹凸部は、インク色の識別と、染料インクあるいは顔料インクの識別と、の２種類の識別を独立して規定し、識別可能にする形状であってもよい。
【手続補正１４】
【補正対象書類名】明細書
【補正対象項目名】００１８
【補正方法】変更
【補正の内容】
【００１８】
また、本発明のインクタンクホルダは、インクタンクの凹凸部に対応した凹凸係合部を備えており、インクタンクホルダの対応した凹凸係合部が設けられた特定位置にのみインクタンクが装着可能であってもよい。
【手続補正書】
【提出日】平成19年7月11日(2007.7.11)
【手続補正１】
【補正対象書類名】明細書
【補正対象項目名】特許請求の範囲
【補正方法】変更
【補正の内容】
【特許請求の範囲】
【請求項１】
ポリビニルアルコール、ポリビニルエーテル及び／又はポリビニルアセタール単位を含有する少なくとも１種のポリマーならびにアクリレートに基づく少なくとも１種のポリマーの混合物を用いて分散されることを特徴とする分散された顔料。
【請求項２】
アクリレートに基づくポリマーが式
Ｒ１Ｒ２Ｃ＝ＣＲ３−ＣＯ−ＯＲ４                  （Ｉ）
［式中、
Ｒ１及びＲ２はそれぞれ独立して水素原子、メチル又はエチル基を示し、
Ｒ３は水素原子、（Ｃ１−Ｃ１０）アルキル又は（Ｃ６−Ｃ１０）アリール基であり、
Ｒ４は水素原子、１つもしくはそれより多くのヒドロキシルもしくは（Ｃ１−Ｃ６）アルコキシ基で置換されていることができる直鎖状もしくは分枝鎖状（Ｃ１−Ｃ１０）アルキル基、直鎖状もしくは分枝鎖状（Ｃ３−Ｃ１０）アルケニル、（Ｃ４−Ｃ７）シクロアルキルあるいは（Ｃ８−Ｃ１２）アラルケニル及び／又は（Ｃ３−Ｃ１０）アルケニル基で置換されていることができる（Ｃ６−Ｃ１２）アリール基である］
のモノマーの単位を含んでなることを特徴とする請求項１に記載の分散された顔料。
【請求項３】
ポリビニルアルコール、ポリビニルエーテル及び／又はポリビニルアセタール単位を含有するポリマーが式（ＩＩ）及び（ＩＩＩ）
−ＣＲ５Ｒ６−ＣＲ７（ＯＲ８）−                    （ＩＩ）
【化１】
2001064535.tif 000001
［式中、
Ｒ５〜Ｒ７はそれぞれ独立して水素原子又は（Ｃ１−Ｃ４）アルキル基を示し、
Ｒ８は水素原子、（Ｃ１−Ｃ６）アルキル基、（Ｃ１−Ｃ１０）アルカノイル、（Ｃ３−Ｃ１０）アルケノイル又は（Ｃ３−Ｃ１０）アルキノイル基であり、それは末端位置においてカルボキシル基、式−［ＣＨＲ１０−ＣＨ２−Ｏ］ｍ−Ｈもしくは−ＣＨ２−［ＣＨＲ１０−ＣＨ２−Ｏ］ｏ−Ｈの基により置換されていることができ、ここで残基Ｒ１０は同一もしくは異なり、水素原子又はメチル基を示し、ｍ及びｏは１〜２０の整数を示すか、あるいは１つもしくはそれより多いヒドロキシル及び／又はカルボキシル基で置換されている（Ｃ７−Ｃ１１）アロイル基であり、
Ｒ９は水素原子、（Ｃ１−Ｃ６）アルキル基又は式−［ＣＨ２−ＣＨ２−Ｏ］ｎ−Ｈの基であり、ここでｎは１〜２０の整数を示す］
の少なくとも１つの単位から成るか、又はそれを含んでなることを特徴とする請求項１に記載の分散された顔料。
【請求項４】
実質的成分として、ａ）有機コーティング溶媒に可溶性であり、水に不溶性であるが、他方、水性−アルカリ性溶液に可溶性であるか又は少なくとも膨潤性である少なくとも１種のポリマー結合剤、ｂ）少なくとも１種の付加−重合可能なエチレン性不飽和化合物、ｃ）少なくとも１種の光重合開始剤ならびにｄ）少なくとも１種の顔料を含有し、顔料が請求項１〜３の１つもしくはそれより多くに定義した分散された顔料であることを特徴とする感光性混合物。
【請求項５】
ポリマー結合剤ａ）が側位置にカルボキシル基を有する結合剤、好ましくは（メタ）アクリル酸、クロトン酸又はマレイン酸半−エステルの単位を含有するコポリマーあるいはヒドロキシ、スルホ、ホスホノ、スルファモイル又はポリアルコキシレート基を含有し、そのいくつかもしくはすべてが環状ジ−もしくはポリカルボン酸無水物と反応しているポリマーであることを特徴とする請求項４に記載の感光性混合物。
【手続補正書】
【提出日】平成19年7月11日(2007.7.11)
【手続補正１】
【補正対象書類名】明細書
【補正対象項目名】請求項６
【補正方法】変更
【補正の内容】
【請求項６】  -(A-O)m - が、以下の式で表されるアルキレンオキシドブロックポリマーである、請求項１〜５のいずれか一つの水性分散液。
【化２】
2001064332.tif 000001
[ 式中、
ａは、０〜300 、好ましくは１〜80、特に２〜35の数であり、
ｂは、５〜300 、好ましくは８〜80、特に10〜45の数であり、そして
ｃは、０〜300 、好ましくは１〜80、特に８〜35の数である]
【手続補正書】
【提出日】平成19年6月20日(2007.6.20)
【手続補正１】
【補正対象書類名】明細書
【補正対象項目名】特許請求の範囲
【補正方法】変更
【補正の内容】
【特許請求の範囲】
【請求項１】  超合金基体と、
上記超合金基体上に設けられた熱安定な拡散障壁層と
上記拡散障壁層上に設けられたケイ素基セラミック材料であって、窒化ケイ素（Ｓｉ3Ｎ4）、炭化ケイ素（ＳｉＣ）繊維強化炭化ケイ素（ＳｉＣ）母材複合体、炭素繊維強化炭化ケイ素（ＳｉＣ）母材複合体、炭化ケイ素（ＳｉＣ）繊維強化窒化ケイ素（Ｓｉ3Ｎ4）複合体又はケイ素溶浸処理された炭化ケイ素（ＳｉＣ）繊維強化ケイ素／炭化ケイ素（Ｓｉ／ＳｉＣ）母材複合体から選択されるケイ素基セラミック材料と
を含んでなる物品。
【請求項２】  前記ケイ素基セラミック材料が炭素を含有しており、熱安定な拡散障壁層が超合金基体への炭素拡散を妨げる機能を有する、請求項１記載の物品。
【請求項３】  前記拡散障壁皮膜が、イットリア安定化ジルコニア、スカンジア安定化ジルコニア、カルシア安定化ジルコニア、マグネシア安定化ジルコニア、イットリア、酸化アルミニウム（Ａｌ2Ｏ3）、酸化クロム（Ｃｒ2Ｏ3）及び酸化チタン（ＴｉＯ2）からなる群から選択される酸化物である、請求項１記載の物品。
【請求項４】  前記拡散障壁皮膜がアルミノケイ酸塩である、請求項１記載の物品。
【請求項５】  前記拡散障壁皮膜がバリウムストロンチウムアルミノケイ酸塩、カルシウムアルミノケイ酸塩又はムライトである、請求項１記載の物品。
【請求項６】  前記基体がニッケル基、クロム基又は鉄基超合金である、請求項１記載の物品。
【請求項７】  前記基体がＧＴＤ−１１１、ＧＴＤ−２２２、ルネ８０、ルネ４１、ルネ１２５、ルネ７７、ルネ９５、インコネル７０６、インコネル７１８、インコネル６２５、コバルト基ＨＳ１８８、コバルト基Ｌ−６０５、ハステロイＸ、ＩＮ７３８又はＮｉ−２０Ｃｒ−１０Ｔｉ合金、又はステンレス鋼である、請求項１記載の物品。
【請求項８】  基体と拡散障壁皮膜との結合を高めるためのボンドコートを基体と拡散障壁皮膜の間にさらに含んでなる、請求項１記載の物品。
【請求項９】  前記ボンドコートがニッケルアルミナイド、コバルトアルミナイド又はＭＣｒＡｌＹ合金（ただし、Ｍはニッケル、コバルト、鉄又はこれらの混合物のいずれか少なくとも一種である）である、請求項８記載の物品。
【請求項１０】  前記超合金基体がＩＮ７３８又はルネ８０であり、ボンドコートがＮｉＣｒＡｌＹであり、熱安定な拡散障壁層がイットリア安定化ジルコニアであり、ケイ素基セラミック材料がケイ素溶浸処理された炭化ケイ素（ＳｉＣ）繊維強化ケイ素／炭化ケイ素（Ｓｉ／ＳｉＣ）母材複合体からなる、請求項８記載の物品。
【請求項１１】  前記超合金基体がハステロイＸであり、ボンドコートがＮｉＣｒＡｌＹであり、熱安定な拡散障壁層がＡｌ2Ｏ3、酸化クロム（Ｃｒ2Ｏ3 ）又はＴｉＯ2 であり、ケイ素基セラミック材料がケイ素溶浸処理されたＳｉＣ繊維強化Ｓｉ／ＳｉＣ母材複合体からなる、請求項８記載の物品。
【請求項１２】  前記超合金基体及び前記熱安定な拡散障壁層がパックアルミナイド処理したＩＮ７３８であり、ケイ素基セラミック材料がケイ素溶浸処理された炭化ケイ素（ＳｉＣ）繊維強化ケイ素／炭化ケイ素（Ｓｉ／ＳｉＣ）母材複合体からなる、請求項１記載の物品。
【請求項１３】  超合金基体がハステロイＸであり、熱安定な拡散障壁層がムライトであり、ケイ素基セラミック材料がケイ素溶浸処理された炭化ケイ素（ＳｉＣ）繊維強化ケイ素／炭化ケイ素（Ｓｉ／ＳｉＣ）母材複合体からなる、請求項１記載の物品。
【請求項１４】  エンジン部品を構成する請求項１乃至請求項１３のいずれか１項記載の物品。
【請求項１５】  前記エンジン部品が燃焼器又はシュラウドである、請求項１４記載の物品。
【請求項１６】  ケイ素劣化を受けやすい超合金基体と、ケイ素溶浸処理された炭化ケイ素（ＳｉＣ）繊維強化ケイ素／炭化ケイ素（Ｓｉ／ＳｉＣ）母材複合体と、母材複合体から基体へのケイ素拡散を妨げるため上記基体上に設けられた、ムライト又はイットリア安定化ジルコニアを含んだ熱安定な拡散障壁層と、を含んでなる被覆超合金構成部品であって、上記母材複合体が上記拡散障壁層の上に設けられている被覆超合金構成部品。
【請求項１７】  物品の形成方法であって、当該方法が、超合金基体を形成し、この基体の上に熱安定な拡散障壁層を設け、さらに上記拡散障壁層及び基体の上にケイ素基セラミック材料を担持することを含んでなり、上記拡散障壁層が上記セラミック材料から上記超合金基体へのケイ素拡散を実質的に妨げ、上記ケイ素基セラミック材料が、窒化ケイ素（Ｓｉ3Ｎ4）、炭化ケイ素（ＳｉＣ）繊維強化炭化ケイ素（ＳｉＣ）母材複合体、炭素繊維強化炭化ケイ素（ＳｉＣ）母材複合体、炭化ケイ素（ＳｉＣ）繊維強化窒化ケイ素（Ｓｉ3Ｎ4）複合体又はケイ素溶浸処理された炭化ケイ素（ＳｉＣ）繊維強化ケイ素／炭化ケイ素（Ｓｉ／ＳｉＣ）母材複合体から選択される、方法。
【請求項１８】  熱安定な拡散障壁層の基体への接着を高めるため、上記基体の上にＭＣｒＡｌＹ合金からなるボンドコートを設けることをさらに含んでなる、請求項１７記載の方法。
【手続補正書】
【提出日】平成19年6月26日(2007.6.26)
【手続補正１】
【補正対象書類名】明細書
【補正対象項目名】特許請求の範囲
【補正方法】変更
【補正の内容】
【特許請求の範囲】
【請求項１】  拡散アルミニド皮膜（１２）の形成方法であって、当該方法が、
基板（１０）をコーティングチャンバー内に配置し、
不活性又は還元性ガスをコーティングチャンバ内へ流し、次いで
上記ガスによって未反応アルミニウムの一部がコーティングチャンバから掃去され、しかもガス流速が高いほどコーティングチャンバから掃去される未反応アルミニウムの量が多くなるようにコーティングチャンバ内を流れるガス流速を変えることによってコーティングチャンバ内の未反応アルミニウム量を制御しながら、実質的に一定のアルミニウム活量でのアルミナイジング法を用いて基板（１０）をアルミナイジングすることによって基板（１０）上に拡散アルミニド皮膜（１２）を生じさせる
各段階を含んでなる方法。
【請求項２】  前記アルミナイジング法が気相蒸着法である、請求項１記載の方法。
【請求項３】  上記基板（１０）が超合金である、請求項１又は請求項２記載の方法。
【請求項４】  前記気相蒸着法が９５０℃〜１１５０℃で２〜１０時間実施される、請求項２記載の方法。
【請求項５】  上記基板（１０）がガスタービンエンジン部品である、請求項１記載の方法。
【請求項６】  拡散アルミニド皮膜（１２）の形成中に、拡散アルミニド皮膜（１２）がその内側部分よりもその外側部分で高いアルミニウム含量を有するようにコーティングチャンバを流れるガス流速を減らす、請求項１記載の方法。
【請求項７】  前記アルミナイジング段階の前に、基板（１０）の第一表面部分は拡散アルミニド皮膜（１２）を有しているが、基板（１０）の第二表面部分は拡散アルミニド皮膜を有していない、請求項１記載の方法。
【請求項８】  前記ガスがアルゴンであって、前記ガス流速が１０〜３０ＳＣＦＨ（３．０５〜９．１５ｍ3／ｈ）である、請求項２記載の方法。
【手続補正書】
【提出日】平成19年3月19日(2007.3.19)
【手続補正１】
【補正対象書類名】特許請求の範囲
【補正対象項目名】全文
【補正方法】変更
【補正の内容】
【特許請求の範囲】
【請求項１】
被処理対象成分を含む空気を装置外から装置内に導入する導入部と、
前記導入部によって導入された空気中の被処理対象成分を高分子から低分子に分解するように空気を処理する処理部と、
前記処理部によって処理された空気を装置内から装置外に放出する前に通過させるフィルター部とを備え、
前記フィルター部は、直径が０．１ｎｍ以上１ｎｍ以下の微細な孔を有する材料を含むことを特徴とする、空気浄化装置。
【請求項２】
前記微細な孔を有する材料は、ゼオライトを含む、請求項１に記載の空気浄化装置。
【請求項３】
前記フィルター部の外表面は凹凸形状を有するように形成されている、請求項１に記載の空気浄化装置。
【請求項４】
前記処理部と前記フィルター部とが一体化された空気通過部が本体から分離可能に構成されている、請求項１から請求項３までのいずれか１項に記載の空気浄化装置。
【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
内視鏡本体と、体内に挿入される内視鏡挿入部とを備える内視鏡に、前記内視鏡の制御を司る内視鏡制御部を接続し、前記内視鏡内に設けられた照明用光源で発生させた光を、ライトガイドを通って前記内視鏡挿入部の先端部に導き、被写体を照明する内視鏡システムにおいて、
前記内視鏡挿入部の先端部に配置される前記ライトガイドの端部から出射する光を検出する光センサを前記内視鏡挿入部の先端部に設け、前記光センサの検出結果に応じて前記照明用光源への電力供給を制御する光源制御部を前記内視鏡制御部に設けたことを特徴とする内視鏡システム。
【請求項２】
内視鏡本体と、体内に挿入される内視鏡挿入部とを備える内視鏡に、前記内視鏡の制御を司る内視鏡制御部を接続し、前記内視鏡内に設けられた照明用光源で発生させた光を、ライトガイドを通って前記内視鏡挿入部の先端部に導き、被写体を照明する内視鏡システムにおいて、
前記内視鏡内に光検出用ライトガイドファイバを設け、前記光検出用ライトガイドファイバの一端部を前記内視鏡挿入部の先端部から出射される光の光路に臨んで配置し、前記光検出用ライトガイドファイバの他端部を光センサに連結させ、前記光センサの検出結果に応じて前記照明用光源への電力供給を制御する光源制御部を前記内視鏡制御部に設けたことを特徴とする内視鏡システム。
【請求項３】
前記照明用光源は、３８０ｎｍから７８０ｎｍの波長を含む白色光を発する白色光源ランプであることを特徴とする請求項１又は請求項２に記載の内視鏡システム。
【請求項４】
前記照明用光源は、レーザ光源であり、前記ライトガイドの端部には、レーザ光によって励起され、３８０ｎｍから７８０ｎｍの波長を含む白色光を発する蛍光体を含有する蛍光部材を配置したことを特徴とする請求項１又は請求項２に記載の内視鏡システム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００３２
【補正方法】変更
【補正の内容】
【００３２】
なお、本発明は、前記の実施の形態に限定されずに広く応用することができる。
例えば、位置検出スイッチ３３を複数設けると、内視鏡挿入部５ の着脱をさらに確実に検出することが可能になる。
ソケット部７２は、挿入方向に対して直交する方向のみに移動自在に支持されていても良い。この場合には、溝６９は、つば部７５に摺接するような長さに設定される。
ソケット部７２が内視鏡本体４に固定され、プラグ部６２が内視鏡挿入部５に移動自在に支持されても良い。プラグ部６２の支持機構としては、図２に示すものと同様のものが採用される。また、内視鏡本体４にプラグ部６２を設け、内視鏡挿入部５にソケット部７２を設け、どちらか一方のみを移動自在に支持させても良い。
（付記項１）
内視鏡本体と、体内に挿入される内視鏡挿入部とを備える内視鏡に、前記内視鏡の制御を司る内視鏡制御部を接続し、前記内視鏡内に設けられた照明用光源で発生させた光を、ライトガイドを通って前記内視鏡挿入部の先端部に導き、被写体を照明する内視鏡システムにおいて、
前記内視鏡挿入部の先端部に配置される前記ライトガイドの端部から出射する光を検出する光センサを前記内視鏡挿入部の先端部に設け、前記光センサの検出結果に応じて前記照明用光源への電力供給を制御する光源制御部を前記内視鏡制御部に設けたことを特徴とする内視鏡システム。
（付記項２）
内視鏡本体と、体内に挿入される内視鏡挿入部とを備える内視鏡に、前記内視鏡の制御を司る内視鏡制御部を接続し、前記内視鏡内に設けられた照明用光源で発生させた光を、ライトガイドを通って前記内視鏡挿入部の先端部に導き、被写体を照明する内視鏡システムにおいて、
前記内視鏡内に光検出用ライトガイドファイバを設け、前記光検出用ライトガイドファイバの一端部を前記内視鏡挿入部の先端部から出射される光の光路に臨んで配置し、前記光検出用ライトガイドファイバの他端部を光センサに連結させ、前記光センサの検出結果に応じて前記照明用光源への電力供給を制御する光源制御部を前記内視鏡制御部に設けたことを特徴とする内視鏡システム。
（付記項３）
前記照明用光源は、３８０ｎｍから７８０ｎｍの波長を含む白色光を発する白色光源ランプであることを特徴とする付記項１又は付記項２に記載の内視鏡システム。
（付記項４）
前記照明用光源は、レーザ光源であり、前記ライトガイドの端部には、レーザ光によって励起され、３８０ｎｍから７８０ｎｍの波長を含む白色光を発する蛍光体を含有する蛍光部材を配置したことを特徴とする付記項１又は付記項２に記載の内視鏡システム。
（付記項５）
前記内視鏡挿入部が前記内視鏡本体に対して着脱自在に構成され、前記内視鏡挿入部と、前記内視鏡本体とのそれぞれに挿通されたライトガイドを連結する第１のコネクタ部と、第２のコネクタ部とからなる光コネクタを備え、前記第１のコネクタ部は、前記内視鏡本体に支持され、前記内視鏡本体に挿通される前記ライトガイドの端部が固定され、前記第２のコネクタ部は、前記第１のコネクタ部に嵌合可能で、前記内視鏡挿入部に挿通される前記ライトガイドの端部が固定され、前記第１のコネクタ部、又は前記第２のコネクタ部の一方のコネクタ部が、他方のコネクタ部に対して移動自在に支持されていることを特徴とする付記項１から付記項４のいずれか一項に記載の内視鏡システム。
この内視鏡システムでは、内視鏡が内視鏡本体部と、内視鏡挿入部とに着脱自在に構成されている。内視鏡挿入部を内視鏡本体部に装着する際に、ライトガイドを連結させる２つのコネクタ部の間に位置ずれが生じていた場合には、一方のコネクタ部が位置ずれを修正するように移動しながら他方のコネクタ部を受け入れる。これにより、内視鏡本体側のライトガイドと、内視鏡挿入部側のライトガイドとがずれることなく連結される。
（付記項６）
前記内視鏡挿入部と前記内視鏡本体との着脱を検出する着脱検出手段を備え、前記着脱検出手段は、前記内視鏡挿入部を分離する際に、前記第１のコネクタ部と前記第２のコネクタ部とが嵌合している位置から、前記第１のコネクタ部と前記第２のコネクタ部とが完全に分離する位置に移動するまでの間で検出動作を行うように配置され、前記光源制御部は、前記着脱検出手段が前記コネクタ部の接続が解除されたことを検出した際に、前記照明用光源を停止させることを特徴とする付記項５に記載の内視鏡システム。
内視鏡本体と内視鏡挿入部とが完全に分離するためには、コネクタ部同士が完全に離れる必要があるが、着脱検出手段は、内視鏡挿入部の移動量が、コネクタ部同士が嵌合している長さよりも短い所定の値になったときに動作し、内視鏡挿入部が分離したことを示す信号等を出力する。そして、光源制御部が着脱検出手段の出力に基づいて、例えば、照明用光源への電力供給を停止するなどして、内視鏡本体側のライトガイドの端部から照明光が照射されないようにする。
【手続補正書】
【提出日】平成19年4月19日(2007.4.19)
【手続補正１】
【補正対象書類名】特許請求の範囲
【補正対象項目名】請求項２
【補正方法】変更
【補正の内容】
【請求項２】
前記照明手段は、
発光源と、
前記発光源からの光を入射させる入射面と、表示帯体の内側で透光部に対応する位置に配され、表示帯体の回転に伴う透過部の移動軌跡が表示窓に臨む所定範囲に渡って前面側へ光を照射する発光面と、前記入射面より入射した光を前記発光面の全域へ均等に導く導光部と、で構成した導光部材と、
前記導光部材の導光部における光の漏洩を低減させる遮光部材と、
で構成したことを特徴とする請求項１に記載の遊技台。
【手続補正２】
【補正対象書類名】特許請求の範囲
【補正対象項目名】請求項３
【補正方法】変更
【補正の内容】
【請求項３】
前記照明手段は、
発光源と、
前記発光源からの光を入射させる入射端面と、該入射端面の端縁に連なる周壁であって入射端面からの入射光を透過させる発光面と、を備え、表示帯体の回転に伴う透過部の移動軌跡が表示窓に臨む所定範囲に渡り前記発光面を表示帯体の内側に位置させた導光部材と、
で構成したことを特徴とする請求項１に記載の遊技台。
【手続補正３】
【補正対象書類名】特許請求の範囲
【補正対象項目名】請求項４
【補正方法】変更
【補正の内容】
【請求項４】
前記照明手段の導光部材は、発光面に対し、光の透過を許容するドット表示領域と光を遮蔽する遮光領域を、表示帯体の移動方向へ交互に形成し、発光面上の各ドット表示領域が遮光領域により区画されるようにしたことを特徴とする請求項２又は請求項３に記載の遊技台。
【手続補正４】
【補正対象書類名】明細書
【補正対象項目名】０００８
【補正方法】変更
【補正の内容】
【０００８】
また、請求項２に係る発明は、前記請求項１に記載の遊技台において、前記照明手段は、発光源と、前記発光源からの光を入射させる入射面と、表示帯体の内側で透光部に対応する位置に配され、表示帯体の回転に伴う透過部の移動軌跡が表示窓に臨む所定範囲に渡って前面側へ光を照射する発光面と、前記入射面より入射した光を前記発光面の全域へ均等に導く導光部と、で構成した導光部材と、前記導光部材の導光部における光の漏洩を低減させる遮光部材と、で構成したことを特徴とする。
【手続補正５】
【補正対象書類名】明細書
【補正対象項目名】０００９
【補正方法】変更
【補正の内容】
【０００９】
また、請求項３に係る発明は、前記請求項１に記載の遊技台において、前記照明手段は、発光源と、前記発光源からの光を入射させる入射端面と、該入射端面の端縁に連なる周壁であって入射端面からの入射光を透過させる発光面と、を備え、表示帯体の回転に伴う透過部の移動軌跡が表示窓に臨む所定範囲に渡り前記発光面を表示帯体の内側に位置させた導光部材と、で構成したことを特徴とする。
【手続補正６】
【補正対象書類名】明細書
【補正対象項目名】００１０
【補正方法】変更
【補正の内容】
【００１０】
また、請求項４に係る発明は、前記請求項２又は請求項３に記載の遊技台において、照明手段の導光部材は、発光面に対し、光の透過を許容するドット表示領域と光を遮蔽する遮光領域を、表示帯体の移動方向へ交互に形成し、発光面上の各ドット表示領域が遮光領域により区画されるようにしたことを特徴とする。
【手続補正書】
【提出日】平成19年2月26日(2007.2.26)
【手続補正１】
【補正対象書類名】明細書
【補正対象項目名】０００９
【補正方法】変更
【補正の内容】
【０００９】
本発明において、前記固定体は、前記コイルの外周面から当該コイルの軸線方向の両側を回りこんで一方の先端部と他方の先端部が前記第１の可動体側ヨークの外周面と前記コイルの内周面との隙間内に位置する固定体側ヨークを備え、当該固定体側ヨークの前記先端部は、スリットを介して軸線方向で対向し、当該固定体側ヨークと前記可動体との間には間隙が確保されていることが好ましい。このように構成すると、磁路を閉じることができる。
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
以下の（a)または(b)のタンパク質を含む細胞増殖抑制剤。
(a)  配列表の配列番号１に記載のアミノ酸配列からなるタンパク質
(b)  配列表の配列番号１に記載のアミノ酸配列において１もしくは複数のアミノ酸を置換、欠失もしくは付加してなるアミノ酸配列からなるタンパク質であって細胞増殖抑制活性を有するタンパク質
【請求項２】
以下の（a)または(b)のタンパク質を含む癌治療剤。
(a)  配列表の配列番号１に記載のアミノ酸配列からなるタンパク質
(b)  配列表の配列番号１に記載のアミノ酸配列において１もしくは複数のアミノ酸を置換、欠失もしくは付加してなるアミノ酸配列からなるタンパク質であって細胞増殖抑制活性を有するタンパク質
【請求項３】
肺癌、肝細胞癌、食道癌および胃癌からなる群から選択される癌の治療剤である、請求項２記載の癌治療剤。
【請求項４】
以下の（a)または(b)のタンパク質をマーカーとして用いることを特徴とする癌診断薬。
(a)  配列表の配列番号１に記載のアミノ酸配列からなるタンパク質
(b)  配列表の配列番号１に記載のアミノ酸配列において１もしくは複数のアミノ酸を置換、欠失もしくは付加してなるアミノ酸配列からなるタンパク質であって細胞増殖抑制活性を有するタンパク質
【請求項５】
肝細胞癌、食道癌および胃癌からなる群から選択される癌の診断薬である、請求項４記載の癌診断薬。
【手続補正２】
【補正対象書類名】明細書
【補正対象項目名】発明の名称
【補正方法】変更
【補正の内容】
【発明の名称】細胞増殖抑制タンパク質並びにそれを用いる細胞増殖抑制剤、癌診断薬及び癌治療剤
【手続補正書】
【提出日】平成19年11月8日(2007.11.8)
【手続補正１】
【補正対象書類名】特許請求の範囲
【補正対象項目名】請求項４
【補正方法】変更
【補正の内容】
【請求項４】
請求項１から３のいずれか１項に記載の構成よりなる洗車機用洗浄ブラシのブラシ片において、前記溶着は、熱、超音波、高周波、あるいは振動により溶着されてあることを特徴とする洗車機用洗浄ブラシのブラシ片。
【手続補正２】
【補正対象書類名】明細書
【補正対象項目名】００１０
【補正方法】変更
【補正の内容】
【００１０】
（４）上記（１）から（３）のいずれか１項に記載の洗車機用洗浄ブラシのブラシ片において、前記溶着は、熱、超音波、高周波、あるいは振動により溶着されてあるものである。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
攪拌羽根を取り付け、電動機にて回転するようにした回転軸の周囲を囲むように筒体を配設し、攪拌羽根を回転させて水を吸い上げ、水面に散水することにより槽内で上下対流をつくり、水の飛散による空気との接触と、水の落下とにより水中へ空気を送り込み、エアレーションを行うようにした曝気攪拌機において、吸い上げた水が周囲に飛散するように攪拌羽根の上方位置に配設した上部固定板を、飛散水の水膜が円周上で上下に凹凸を繰り返す波型形状をなすように形成したことを特徴とする曝気攪拌機。
【請求項２】
上部固定板の外周縁部を、円周上で半径方向に凹凸を繰り返す波型に形成したことを特徴とする請求項１記載の曝気攪拌機。
【請求項３】
上部固定板の下面を、円周上で上下に凹凸を繰り返す波型に形成したことを特徴とする請求項１記載の曝気攪拌機。
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
前方に開放された筐体と、該筐体の前面開口部を塞ぐ前面扉とを備え、
前記筐体内には、複数の絵柄が周方向に付された複数の周回体を有しこれら各周回体を回転させることにより絵柄を変動表示する絵柄表示装置を配置するとともに、該絵柄表示装置の下方にはホッパ装置を配置し、
該ホッパ装置は、
上方へと開放され遊技メダルを貯留する貯留領域を有する貯留タンクと、
該貯留タンクの下側開口部に臨み該下側開口部から流出する遊技メダルを保持する回転部材を有し該回転部材を回転駆動することにより前記前面扉に設けられたメダル受皿へと遊技メダルを払い出す払出装置とを備え、
さらに前記前面扉には、前記各周回体に付された絵柄のうち一部の絵柄を視認可能とするための表示部を含む表示領域を設け、
前記絵柄の変動表示後に、前記表示部から視認できる有効位置に前記絵柄によって形成される特定絵柄の組合せが成立している場合には、前記ホッパ装置による遊技メダルの払い出しを行うように構成した遊技機において、
前記貯留領域の外面の一部を貯留領域内側に凹ませることで該貯留領域の内面から膨出した膨出部を形成し、該膨出部内に前記払出装置の一部を収容したことを特徴とする遊技機。
【請求項２】
前方に開放された筐体と、該筐体の前面開口部を塞ぐ前面扉とを備え、
前記筐体内には、複数の絵柄が周方向に付された複数の周回体を有しこれら各周回体を回転させることにより絵柄を変動表示する絵柄表示装置を配置するとともに、該絵柄表示装置の下方にはホッパ装置を配置し、
該ホッパ装置は、
上方へと開放され遊技メダルを貯留する貯留領域を有する貯留タンクと、
前記貯留タンクの下側開口部に臨み該下側開口部から流出する遊技メダルを保持する回転部材を有し、該回転部材を回転駆動することにより前記前面扉に設けられたメダル受皿へと遊技メダルを払い出す払出装置とを備え、
さらに前記前面扉には、前記各周回体に付された絵柄のうち一部の絵柄を視認可能とするための表示部を含む表示領域を設け、
前記絵柄の変動表示後に、前記表示部から視認できる有効位置に前記絵柄によって形成される特定絵柄の組合せが成立している場合には、前記ホッパ装置による遊技メダルの払い出しを行うように構成した遊技機において、
前記回転部材を傾斜させた構成とし、
さらに前記貯留領域の外面の一部を貯留領域内側に凹ませることで該貯留領域の内面から膨出した膨出部を形成し、該膨出部内に前記回転部材の上端部を収容したことを特徴とする遊技機。
【請求項３】
前記膨出部を、前記払出装置における該膨出部内に収容される部位の外郭に沿うようにして設けたことを特徴とする請求項１又は２に記載の遊技機。
【請求項４】
前記膨出部の上端の位置を、前記貯留領域の上面開口部よりも下方にしたことを特徴とする請求項１乃至３のいずれか１に記載の遊技機。
【請求項５】
前記貯留領域の前記内面は前記下側開口部に向けて遊技メダルが流下するよう傾斜した構成であって、前記内面における前記膨出部の周囲に、前記下側開口部に向けて遊技メダルが流下していくことができる程度の領域を確保したことを特徴とする請求項１乃至４のいずれか１に記載の遊技機。
【請求項６】
前記膨出部における遊技メダル流下方向上流側の表面を、該上流側に凸となる曲面に形成したことを特徴とする請求項５に記載の遊技機。
【請求項７】
前記貯留タンクは、前記下側開口部を有し前記貯留領域に貯留されている遊技メダルを前記払出装置へと導出する導出領域を備え、前記貯留タンクを隔壁により上下に区画することで前記貯留領域と前記導出領域とを設けたことを特徴とする請求項１乃至６のいずれか１に記載の遊技機。
【請求項８】
前記貯留タンクの上端の位置を、前記払出装置の上端とほぼ同じ高さとしたことを特徴とする請求項１乃至７のいずれか１に記載の遊技機。
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
前方に開放され内部が仕切部により上下に区画された筐体と、該筐体の前面開口部を塞ぐ前面扉とを備え、
前記筐体内における前記仕切部上には、複数の絵柄が周方向に付された複数の周回体を有し、これら各周回体を回転させることにより絵柄を変動表示する絵柄表示装置を配置するとともに、
前記筐体内における前記仕切部の下方には、上方に開放され遊技メダルを貯留する貯留タンク及び該貯留タンクに貯留された遊技メダルを前記前面扉に設けられた払出部より遊技機外部へと払い出すための払出装置を有してなるホッパ装置を配置し、
さらに前記前面扉には、前記各ベルトに付された絵柄のうち一部の絵柄を視認可能とするための表示部を含む表示領域を設け、
前記絵柄の変動表示後に、前記表示部から視認できる有効位置に前記絵柄によって形成される特定絵柄の組合せが成立している場合には、前記払出装置により遊技メダルの払い出しを行うように構成した遊技機において、
前記貯留タンクにおける上面開口部の手前側の少なくとも一部が前記仕切部と上下方向に重ならないように、前記仕切部の手前側端部にその左右両端部の少なくとも一方よりも奥側へと後退した後退部を設けたことを特徴とする遊技機。
【請求項２】
前記貯留タンクの左右方向の長さが前記仕切部の左右方向の長さよりも短い構成とし、少なくとも前記仕切部の手前側端部における前記上面開口部の上方に位置する部位の全体に渡って前記後退部を延設させたことを特徴とする請求項１に記載の遊技機。
【請求項３】
前記後退部における少なくとも前記上面開口部の上方に位置する部位を、左右方向に延び、且つ直線状となるように設けたことを特徴とする請求項１又は２に記載の遊技機。
【請求項４】
前記絵柄表示装置は、前記筐体の前後方向の長さよりも短い直径の円環状又は略円環状をなし外周面に前記絵柄が付された複数の前記周回体を備えると共に、これら各周回体毎に設けられ該各周回体を回転させる駆動手段と、各周回体及び各駆動手段を前記仕切部上で支持する支持部とを備え、
前記各周回体を、その円の中心を中心軸として回転させることにより、前記表示部からは上下方向に移動する絵柄の変動表示が視認可能な構成とし、
前記後退部が前記各周回体における前後方向の中心よりも手前側に位置するようにし、
さらに前記支持部における前記仕切部への固定部分を、前記後退部よりも遊技機前方に突出しない又は略突出しないように設けたことを特徴とする請求項１乃至３のいずれか１に記載の遊技機。
【請求項５】
前記絵柄表示装置は、円環状又は略円環状をなしその外周面に前記絵柄が付された複数の前記周回体を備えると共に、これら各周回体毎に設けられ該各周回体を回転させる駆動手段と、各周回体毎に設けられ前後方向に所定の幅を有し各周回体及び各駆動手段を保持する保持部と、該保持部を前記仕切部上で支持する支持部とを備え、
前記各周回体を、その円の中心を中心軸として回転させることにより、前記表示部からは上下方向に移動する絵柄の変動表示が視認可能な構成とし、
前記後退部が、前記各周回体の最前面よりも奥側であって、前記各周回体における前後方向の中心よりも手前側に位置するようにし、
さらに前記支持部の手前側端部が前記後退部よりも遊技機前方に突出しない又は略突出しないようにしたことを特徴とする請求項１乃至３のいずれか１に記載の遊技機。
【請求項６】
前記仕切部の手前側端部には、前記後退部から下方に延びる延出部を設け、さらに前記支持部に前記延出部に対応させて取り付け部を設け、該取り付け部を前記延出部と正面視で重ねた状態で同延出部に固定することにより、前記仕切部に前記絵柄表示装置を固定したことを特徴とする請求項４又は５に記載の遊技機。
【請求項７】
前記絵柄表示装置は、前記周回体の他に、各周回体毎に設けられ該各周回体を回転させる駆動手段と、各周回体及び各駆動手段毎に設けられ各周回体及び各駆動手段を前記仕切部上で支持する支持部とを備え、前記仕切部の手前側端部には、前記後退部から下方に延びる延出部を設け、さらに前記支持部における前記仕切部と接する箇所の手前側端部に前記延出部に対応して下方に延びる取り付け部を設け、該取り付け部を該延出部と正面視で重ねた状態で同延出部に固定することにより、前記仕切部に前記絵柄表示装置を固定したことを特徴とする請求項１乃至３のいずれか１に記載の遊技機。
【請求項８】
前記仕切部の手前側端部における左右両端部が前記筐体の左右の側壁部の手前側端部付近に位置するようにしたことを特徴とする請求項１乃至７のいずれか１に記載の遊技機。
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
前方に開放された筐体と、該筐体の前面開口部を塞ぐ前面扉とを備え、
前記筐体内には、複数の絵柄が周方向に付された複数の周回体を有しこれら各周回体を回転させることにより絵柄を変動表示する絵柄表示装置を配置するとともに、
該絵柄表示装置の下方には、上方に開放され遊技メダルを貯留する貯留タンク及び該貯留タンクに貯留されている遊技メダルを前記前面扉に設けられた払出部より遊技機外部へと払い出す払出装置を有してなるホッパ装置と、上方に開放され前記貯留タンクに所定量以上の遊技メダルが貯留された場合にその余剰メダルが排出される補助タンクとを横並びで配置し、
さらに前記前面扉には、前記各周回体に付された絵柄のうち一部の絵柄を視認可能とするための表示部を含む表示領域を設けるとともに、遊技開始の際に遊技メダルの投入がなされる投入部が少なくとも配置される操作領域を設け、
前記投入部から投入された遊技メダルを前記貯留タンクに貯留するようにし、且つ前記絵柄の変動表示後に、前記表示部から視認できる有効位置に前記絵柄によって形成される特定絵柄の組合せが成立している場合には、前記ホッパ装置により遊技メダルの払い出しを行うように構成した遊技機において、
前記ホッパ装置を、前記払出装置により前記貯留タンクが片持ち支持されることによって構成し、
前記払出装置に対して前記貯留タンクが前記補助タンク側に偏倚させて配置されるように位置関係を設定し、
さらに、前記貯留タンクが前記補助タンクの上方に至る位置まで延びるように当該貯留タンクを横長に形成したことを特徴とする遊技機。
【請求項２】
前記貯留タンクの底部を、前記払出装置側から前記補助タンク側へ近づくほど上方に位置するように形成したことを特徴とする請求項１に記載の遊技機。
【請求項３】
前記貯留タンクにおける前記補助タンク側の側壁部に貯留タンク内側へと凹んだ凹部を設け、該凹部に前記補助タンクへのメダル排出口を形成したことを特徴とする請求項１又は２に記載の遊技機。
【請求項４】
前記凹部は、前記貯留タンクの前記側壁部から内側へとオフセットされた第１壁部、及び該第１壁部と前記側壁部とを連結する第２壁部から構成され、該第２壁部を前記第１壁部と直交又は略直交するように設けたことを特徴とする請求項３に記載の遊技機。
【請求項５】
前記メダル排出口を前記第１壁部に形成したことを特徴とする請求項４に記載の遊技機。
【請求項６】
前記貯留タンク内に所定量以上の遊技メダルが貯留された場合に、その余剰メダルを前記補助タンクへ誘導する誘導手段を設けたことを特徴とする請求項１乃至５のいずれか１に記載の遊技機。
【請求項７】
前記誘導手段は、板状の誘導部材であり、その底部が前記貯留タンク内から前記補助タンクの上方にかけて下方に傾斜するように前記貯留タンクに対して取り付けられていることを特徴とする請求項６に記載の遊技機。
【請求項８】
前記誘導部材に、前記補助タンクに向けて誘導される遊技メダルを前記補助タンクの上面開口部の中央付近に到達するように案内する案内手段を設けたことを特徴とする請求項７に記載の遊技機。
【請求項９】
前方に開放された筐体と、該筐体の前面開口部を塞ぐ前面扉とを備え、
前記筐体内には、複数の絵柄が周方向に付された複数の周回体を有しこれら各周回体を回転させることにより絵柄を変動表示する絵柄表示装置を配置するとともに、
該絵柄表示装置の下方には、上方に開放され遊技メダルを貯留する貯留タンク及び該貯留タンクに貯留されている遊技メダルを前記前面扉に設けられた払出部より遊技機外部へと払い出す払出装置を有してなるホッパ装置と、前記貯留タンクに所定量以上の遊技メダルが貯留された場合にその余剰メダルが排出されることとなる補助タンクが配置される補助タンク配置領域とを横並びで設け、
さらに前記前面扉には、前記各周回体に付された絵柄のうち一部の絵柄を視認可能とするための表示部を含む表示領域を設けるとともに、遊技開始の際に遊技メダルの投入がなされる投入部が少なくとも配置される操作領域を設け、
前記投入部から投入された遊技メダルを前記貯留タンクに貯留するようにし、且つ前記絵柄の変動表示後に、前記表示部から視認できる有効位置に前記絵柄によって形成される特定絵柄の組合せが成立している場合には、前記ホッパ装置により遊技メダルの払い出しを行うように構成した遊技機において、
前記ホッパ装置を、前記払出装置により前記貯留タンクが片持ち支持されることによって構成し、
前記払出装置に対して前記貯留タンクが前記補助タンク配置領域側に偏倚させて配置されるように位置関係を設定し、
さらに、前記貯留タンクが前記補助タンク配置領域の上方に至る位置まで延びるように当該貯留タンクを横長に形成したことを特徴とする遊技機。
【手続補正書】
【提出日】平成19年9月26日(2007.9.26)
【手続補正１】
【補正対象書類名】明細書
【補正対象項目名】００１７
【補正方法】変更
【補正の内容】
【００１７】
次に、本例の磁石発電機用回転子の製造方法について説明する。図１に示すように、ヨーク１における筒部１ａの開口端１ｂ側の内周に、永久磁石３の端部に隣接させるようにして溝６を周方向に連続して全周に設ける。筒部１ａの内周には、溝６に端部を隣接させるようにして永久磁石３を接着剤で固定しておく。
【手続補正２】
【補正対象書類名】明細書
【補正対象項目名】００１９
【補正方法】変更
【補正の内容】
【００１９】
かかる状態で、図１及び図２（Ａ）に矢印で示す方向に磁石保護カバー４をヨーク１に嵌め、図２（Ｂ）及び図３に示すように磁石保護カバー４の底部当接部４ｃをヨーク１の底部１ｃに当接し、磁石保護カバー４の鍔部４ｂの先端に設けられた係止部４ｄを溝６に嵌め込み、磁石保護カバー４をヨーク１に固定する。
【手続補正書】
【提出日】平成19年9月27日(2007.9.27)
【手続補正１】
【補正対象書類名】明細書
【補正対象項目名】００１９
【補正方法】変更
【補正の内容】
【００１９】
尚、上述の様に、第一、第二両端子同士の間に過大乃至は大きな電流が流れて上記第一の放電制御スイッチをＯＦＦした瞬間には、この過大乃至は大きな電流が、上記第三の電路を通じて流れようとする為、上記第二の制御回路が上記第二の放電制御スイッチをＯＦＦする。但し、この様に第二の放電制御スイッチがＯＦＦされた場合でも、使用者が上記第一の制御回路の動作に基づいて上記第一の放電制御スイッチがＯＦＦされた事に対応して、電気機器の負荷を低減する為の配慮を行なえば、上記第二の放電制御スイッチが再びＯＮされる為、上記電気機器が最低限の機能を果たす様にできる。尚、上述の説明から明らかな通り、本発明の二次電池パックを使用した場合でも、過大電流に基づいて上記第一の放電制御スイッチがＯＦＦされた瞬間、及び、大きな電流による電圧低下に基づいてこの第一の放電制御スイッチがＯＦＦされた瞬間には、短時間とは言え、二次電池パックから電気機器の本体側への電力供給が停止する。従って、上記電気機器に関して、それまでのデータを保存、利用する事を考慮するのであれば、この電気機器の本体側のメモリに通じる部分に、コンデンサ等、短時間だけでも電力を供給できる部品を組み込む必要がある。  本発明の二次電池パックは、上述の様な作用により、ノート型パソコン、無線通信器、釣具である電動リール等、携帯型の各種電気機器の使い勝手を向上させられる。
【手続補正書】
【提出日】平成18年12月22日(2006.12.22)
【手続補正１】
【補正対象書類名】明細書
【補正対象項目名】特許請求の範囲
【補正方法】変更
【補正の内容】
【特許請求の範囲】
【請求項１】
信号線と共に電源線を含むバスに接続され、前記信号線を介し外部装置と通信して動作するバス接続形デバイスであって、
電源供給を受けて前記外部装置と通信して機能動作する給電先機能部と、
前記バス電源線から前記給電先機能部への電源供給をオン／オフ制御する電源制御部と、
退避用メモリ部と、
前記電源制御部により前記給電先機能部への電源供給をオフ制御する際に、前記給電先機能部の状態情報を前記退避用メモリ部に退避させる退避制御手段と、
前記電源制御部により前記給電先機能部への電源供給をオン制御する際に、前記退避用メモリ部に退避されている状態情報を前記給電先機能部へ復帰させる復帰制御手段と
を有することを特徴とするバス接続形デバイス。
【請求項２】
前記電源制御部は、前記バス電源線または商用電源から前記給電先機能部への電源供給をオン／オフ制御するものであり、
前記給電先機能部への電源供給が前記バス電源線からの電源供給か前記商用電源からの電源供給かを判定する判定手段を備え、
前記判定手段により前記給電先機能部への電源供給が前記バス電源線からであると判定された場合に、前記退避制御手段によって、前記電源制御部により前記給電先機能部への電源供給をオフ制御する際に、前記給電先機能部の状態情報を前記退避用メモリ部に退避させるものであることを特徴とする請求項１記載のバス接続形デバイス。
【請求項３】
前記給電先機能部への電源供給量を検知する検知手段と、
前記検知手段による検知結果に応じて前記給電先機能部において消費電力低減処理を実行する処理手段と
を有することを特徴とする請求項１記載のバス接続形デバイス。
【請求項４】
前記給電先機能部は、楽音を生成するための音源部であることを特徴とする請求項１記載のバス接続形デバイス。
【請求項５】
前記給電先機能部は、楽音を生成するための音源部であることを特徴とする請求項３記載のバス接続形デバイス。
【請求項６】
前記処理手段による消費電力低減処理は、前記音源部の最大同時発音数を削減する処理であることを特徴とする請求項５記載のバス接続形デバイス。
【請求項７】
前記処理手段による消費電力低減処理は、前記音源部を制御するＣＰＵのＤＲＡＭアクセス速度を低減する処理であることを特徴とする請求項５記載のバス接続形デバイス。
【請求項８】
前記処理手段による消費電力低減処理は、前記音源部を制御するＣＰＵのシステムクロック速度を低減する処理であることを特徴とする請求項５記載のバス接続形デバイス。
【手続補正２】
【補正対象書類名】明細書
【補正対象項目名】００１２
【補正方法】変更
【補正の内容】
【００１２】
【課題を解決するための手段および作用】
上述の課題を解決するために、本発明に係るバス接続形デバイスは、信号線と共に電源線を含むバスに接続され、前記信号線を介し外部装置と通信して動作するバス接続形デバイスであって、電源供給を受けて前記外部装置と通信して機能動作する給電先機能部と、前記バス電源線から前記給電先機能部への電源供給をオン／オフ制御する電源制御部と、退避用メモリ部と、前記電源制御部により前記給電先機能部への電源供給をオフ制御する際に、前記給電先機能部の状態情報を前記退避用メモリ部に退避させる退避制御手段と、前記電源制御部により前記給電先機能部への電源供給をオン制御する際に、前記退避用メモリ部に退避されている状態情報を前記給電先機能部へ復帰させる復帰制御手段とを有している。このバス接続形デバイスでは、電源制御部により給電先機能部への電源供給をオフ制御する際には、給電先機能部の状態情報を退避用メモリ部に退避し、電源制御部により給電先機能部への電源供給をオン制御する際には、その退避用メモリ部に退避した状態情報を給電先機能部に再設定することができる。したがって、給電先機能部は電源供給再開後すみやかに正常動作に復帰することができる。
【手続補正３】
【補正対象書類名】明細書
【補正対象項目名】００１３
【補正方法】変更
【補正の内容】
【００１３】
また、このバス接続形デバイスでは、さらに前記給電先機能部への電源供給量を検知する検知手段と、前記検知手段による検知結果に応じて前記給電先機能部において消費電力低減処理を実行する処理手段とを有するように構成することもできる。これにより、本発明に係るバス接続形デバイスは、電源供給量が比較的少ないときには通常動作時と全く同じ機能動作をし、電源供給量が増えてバス電源線の最大量に近づいてきたような場合には機能動作の質等を落とすことにより消費電力を低減して動作することが可能となる。